(57)【要約】【課題】  本発明は、背景領域の表示輝度を好適に制御し、視認性を向上させることが可能な画像処理装置を提供することを目的とする。【解決手段】  本発明における画像処理装置１００は、入力画像の背景領域を判別する領域判別部１０１と、背景領域が表示された表示部２００の表示輝度が、輝度閾値Ｚ０よりも大きいか否かを判定する輝度判定部１０４と、輝度判定部１０４の判定結果に基づいて、背景領域が表示された表示部２００の表示輝度が、輝度閾値Ｚ０以下になるように、背景領域の階調値を補正する階調値補正部１０５とを備えることを特徴とする。【選択図】  図１
2017032764.tif 000002
【特許請求の範囲】
【請求項１】
画像を表示する表示手段と、
前記表示手段に光を照射する複数の発光手段と、
前記複数の発光手段に対応する入力画像の複数の領域のうち、背景領域を判別する判別手段と、
前記判別手段の判別結果に基づいて、前記背景領域に対応する前記発光手段の発光量を所定の発光量に制御する制御手段と、
前記背景領域に含まれる画素の階調値と、前記所定の発光量とを用いて、前記表示手段に表示される前記背景領域の表示輝度である推定輝度を取得する取得手段と、
前記推定輝度が、輝度閾値よりも大きい場合に、前記背景領域の表示輝度が前記輝度閾値以下になるように、前記背景領域の階調値を下げる処理を施して、前記表示手段に出力する補正手段と
を備えることを特徴とする表示装置。
【請求項２】
前記補正手段は、前記表示手段が表示可能な階調値の範囲において、前記表示手段に表示される画像の階調値と、前記所定の発光量を用いて前記発光手段が前記表示手段に光を照射した場合における前記表示手段の推定輝度とを関連付けた情報に基づいて、前記背景領域の階調値を下げることを特徴とする請求項１に記載の表示装置。
【請求項３】
前記補正手段は、前記背景領域に含まれる画素の階調値を一律に下げることを特徴とする請求項１または請求項２に記載の表示装置。
【請求項４】
前記補正手段は、前記背景領域に含まれる画素のうち、階調値が大きい画素ほど、階調値の減少量が大きくなるように、前記背景領域の階調値を下げることを特徴とする請求項１または請求項２に記載の表示装置。
【請求項５】
さらに、前記推定輝度が、輝度閾値よりも大きいか否かを判定する判定手段を備え、
前記判定手段により、前記推定輝度が前記輝度閾値よりも大きいと判定されたことに応じて、前記補正手段は、前記背景領域の表示輝度が前記輝度閾値以下になるように、前記背景領域の階調値を下げる処理を施して、前記表示手段に出力することを特徴とする請求項１乃至請求項４のいずれか１項に記載の表示装置。
【請求項６】
画像を表示する表示手段と、
前記表示手段に光を照射する複数の発光手段と、
前記複数の発光手段に対応する入力画像の複数の領域のうち、背景領域を判別する判別手段と、
前記判別手段の判別結果に基づいて、前記背景領域に対応する前記発光手段の発光量を所定の発光量に決定する決定手段と、
前記背景領域に含まれる画素の階調値と、前記所定の発光量とを用いて、前記表示手段に表示される前記背景領域の表示輝度である推定輝度を取得する取得手段と、
前記推定輝度が、輝度閾値よりも大きい場合に、前記背景領域の表示輝度が前記輝度閾値以下になるように、前記決定手段が決定した発光量を下げる補正を施し、前記発光手段を制御する制御手段と、
を備えることを特徴とする表示装置。
【請求項７】
前記制御手段は、前記推定輝度が前記輝度閾値よりも大きい背景領域の階調値に応じて、当該背景領域に対応する前記発光手段の前記発光量を補正することを特徴とする請求項６に記載の表示装置。
【請求項８】
前記制御手段は、前記表示手段の階調値に対して、前記発光手段の発光量と前記表示手段に前記発光量で光が照射された場合の前記表示手段の表示輝度とを関連付けた情報に基づいて、前記発光手段の発光量を補正することを特徴とする請求項７に記載の表示装置。
【請求項９】
さらに、前記推定輝度が、輝度閾値よりも大きいか否かを判定する判定手段を備え、
前記判定手段により、前記推定輝度が前記輝度閾値よりも大きいと判定されたことに応じて、前記制御手段は、前記背景領域の表示輝度が前記輝度閾値以下になるように、前記決定手段が決定した発光量を下げる補正を施し、前記発光手段を制御することを特徴とする請求項６乃至請求項８のいずれか１項に記載の表示装置。
【請求項１０】
前記取得手段は、前記背景領域に含まれる画素の平均階調値と、前記所定の発光量とを用いて、前記背景領域の前記推定輝度を取得することを特徴とする請求項１乃至請求項９のいずれか１項に記載の表示装置。
【請求項１１】
前記取得手段は、少なくとも前記所定の発光量と、前記平均階調値とを乗算して、前記推定輝度を算出することを特徴とする請求項１０に記載の表示装置。
【請求項１２】
前記取得手段は、前記表示手段が表示可能な階調値の範囲において、前記表示手段に表示される画像の階調値と、前記所定の発光量を用いて前記発光手段が前記表示手段に光を照射した場合における前記表示手段の推定輝度とを関連付けた情報と、前記平均階調値に基づいて、前記推定輝度を算出することを特徴とする請求項１１に記載の表示装置。
【請求項１３】
画像を表示する表示手段に光を照射する複数の発光手段に対応する入力画像の複数の領域のうち、背景領域を判別する判別工程と、
前記判別工程の判別結果に基づいて、前記背景領域に対応する前記発光手段の発光量を所定の発光量に制御する制御工程と、
前記背景領域に含まれる画素の階調値と、前記所定の発光量とを用いて、前記表示手段に表示される前記背景領域の表示輝度である推定輝度を取得する取得工程と、
前記推定輝度が、輝度閾値よりも大きい場合に、前記背景領域の表示輝度が前記輝度閾値以下になるように、前記背景領域の階調値を下げる処理を施して、前記表示手段に出力する補正工程と
を備えることを特徴とする表示装置の制御方法。
【請求項１４】
画像を表示する表示手段に光を照射する複数の発光手段に対応する入力画像の複数の領域のうち、背景領域を判別する判別工程と、
前記判別工程の判別結果に基づいて、前記背景領域に対応する前記発光手段の発光量を所定の発光量に決定する決定工程と、
前記背景領域に含まれる画素の階調値と、前記所定の発光量とを用いて、前記表示手段に表示される前記背景領域の表示輝度である推定輝度を取得する取得工程と、
前記推定輝度が、輝度閾値よりも大きい場合に、前記背景領域の表示輝度が前記輝度閾値以下になるように、前記決定工程が決定した発光量を下げる補正を施し、前記発光手段を制御する制御工程と、
を備えることを特徴とする表示装置の制御方法。
【発明の詳細な説明】
【技術分野】
【０００１】
本発明は、表示装置及びその制御方法に関する。
【背景技術】
【０００２】
表示装置において、例えば病理診断のためのＸ線画像等を表示する場合に、診断対象が表示される被写体領域の表示輝度に対して、被写体領域外の背景領域の表示輝度を低くすることで、被写体領域の視認性を向上させる技術が提案されている。
【０００３】
特許文献１に記載の表示装置では、背景領域と判定された入力画像に対応するバックライトの発光輝度を、被写体領域に対応するバックライトの発光輝度よりも低い予め定められた値に設定する技術が開示されている。
【先行技術文献】
【特許文献】
【０００４】
【特許文献１】特開２０１３−１４８８７０号公報
【発明の概要】
【発明が解決しようとする課題】
【０００５】
しかしながら、上述した従来の技術では、予め定められた発光輝度を、背景領域に対応するバックライトに対して一律に決定するため、背景領域の階調値にムラがある場合、表示輝度にムラが発生する。特に、背景領域の一部に階調値が高い領域がある場合、表示輝度の高い領域が背景領域内に発生し、被写体領域の視認性が低下してしまう。
【０００６】
そこで、本発明は、上記課題に鑑みて、背景領域の表示輝度を好適に制御し、視認性を向上させることが可能な表示装置を提供することを目的とする。
【課題を解決するための手段】
【０００７】
上述した課題を解決するために、本発明における第１の表示装置は、画像を表示する表示手段と、前記表示手段に光を照射する複数の発光手段と、前記複数の発光手段に対応する入力画像の複数の領域のうち、背景領域を判別する判別手段と、前記判別手段の判別結果に基づいて、前記背景領域に対応する前記発光手段の発光量を所定の発光量に制御する制御手段と、前記背景領域に含まれる画素の階調値と、前記所定の発光量とを用いて、前記表示手段に表示される前記背景領域の表示輝度である推定輝度を取得する取得手段と、前記推定輝度が、輝度閾値よりも大きい場合に、前記背景領域の表示輝度が前記輝度閾値以下になるように、前記背景領域の階調値を下げる処理を施して、前記表示手段に出力する補正手段とを備えることを特徴とする。
【０００８】
また、本発明における第２の画像処理装置は、画像を表示する表示手段と、前記表示パネルに光を照射する複数の発光手段と、前記複数の発光手段に対応する入力画像の複数の領域のうち、背景領域を判別する判別手段と、前記判別手段の判別結果に基づいて、前記背景領域に対応する前記発光手段の発光量を所定の発光量に決定する決定手段と、前記背景領域に含まれる画素の階調値と、前記所定の発光量とを用いて、前記表示手段に表示される前記背景領域の表示輝度である推定輝度を取得する取得手段と、前記推定輝度が、輝度閾値よりも大きい場合に、前記背景領域の表示輝度が前記輝度閾値以下になるように、前記決定手段が決定した発光量を下げる補正を施し、前記発光手段を制御する制御手段と、を備えることを特徴とする。
【０００９】
また、本発明における第１の画像処理装置の制御方法は、画像を表示する表示手段に光を照射する複数の発光手段に対応する入力画像の複数の領域のうち、背景領域を判別する判別工程と、前記判別工程の判別結果に基づいて、前記背景領域に対応する前記発光手段の発光量を所定の発光量に制御する制御工程と、前記背景領域に含まれる画素の階調値と、前記所定の発光量とを用いて、前記表示手段に表示される前記背景領域の表示輝度である輝度を取得する取得工程と、前記推定輝度が、輝度閾値よりも大きい場合に、前記背景領域の表示輝度が前記輝度閾値以下になるように、前記背景領域の階調値を下げる処理を施して、前記表示手段に出力する補正工程とを備えることを特徴とする。
【００１０】
また、本発明における第２の画像処理装置の制御方法は、画像を表示する表示手段に光を照射する複数の発光手段に対応する入力画像の複数の領域のうち、背景領域を判別する判別工程と、前記判別工程の判別結果に基づいて、前記背景領域に対応する前記発光手段の発光量を所定の発光量に決定する決定工程と、前記背景領域に含まれる画素の階調値と、前記所定の発光量とを用いて、前記表示手段に表示される前記背景領域の表示輝度である推定輝度を取得する取得工程と、前記推定輝度が、輝度閾値よりも大きい場合に、前記背景領域の表示輝度が前記輝度閾値以下になるように、前記決定工程が決定した発光量を下げる補正を施し、前記発光手段を制御する制御工程と、を備えることを特徴とする。
【発明の効果】
【００１１】
本発明における表示装置によれば、背景領域の一部に階調値が高い領域がある場合でも、背景領域の表示輝度が、輝度閾値以下になるように補正される。
【００１２】
したがって、背景領域の表示輝度を好適に制御し、視認性を向上させることが可能となる。
【図面の簡単な説明】
【００１３】
【図１】第１の実施例における表示装置１の機能ブロックを示したブロック図である。
【図２】第１の実施例における画像処理部１００の制御フローを示したフローチャートである。
【図３】領域判別部１０１が表示手段の各領域に対応する入力画像から背景領域と被写体領域とを判別した結果を示した模式図である。
【図４】発光部３００の各領域に対して決定された発光量を示した模式図である。
【図５】発光部３００の複数の領域に対応する入力画像の各領域における平均階調値を示した模式図である。
【図６】所定の発光量で発光部３００から表示部２００に光を照射した場合に、表示部２００の平均階調値と表示輝度との関係を示すルックアップテーブルを図示したものである。
【図７】推定輝度取得部１０３が推測した各領域の表示輝度を示した模式図である。
【図８】所定の発光量で発光部３００から光を照射された場合における、表示部２００の表示輝度と平均階調値との関係を示したルックアップテーブルを示した模式図である。
【図９】Ｓ４５０で補正された入力画像の平均階調値を示した模式図である。
【図１０】補正された入力画像に基づいて画像が表示された表示部２００に対して、発光部３００から光を照射した場合の、背景領域の表示輝度を示した模式図である。
【図１１】第２の実施例における表示装置１の機能ブロックを示すブロック図である。
【図１２】第２の実施例における画像処理部１１０の制御フローを示したフローチャートである。
【図１３】平均階調値が６０である入力画像に基づいて画像を表示している表示部２００に発光部３００から照射される発光量と、表示部２００の表示輝度との関係を示すルックアップテーブルである。
【図１４】発光量制御部１１５が補正した発光量を示す模式図である。
【図１５】入力画像に基づいて画像を表示した表示部２００に、発光部３００が発光量制御部１１５から取得した補正された発光量に基づいて、光を照射した場合に、表示部２００に表示される表示輝度を示した模式図である。
【発明を実施するための形態】
【００１４】
以下、図面を用いて本発明の実施の形態について説明する。なお、本発明の技術的範囲は、特許請求の範囲によって確定され、以下に例示する実施例によって限定されるものではない。また、実施例の中で説明されている特徴の組み合わせすべてが本発明に必須とは限らない。本明細書および図面に記載の内容は例示であって、本発明を制限するものと見なすべきではない。本発明の趣旨に基づき種々の変形（各実施例の有機的な組合せを含む）が可能であり、それらを本発明の範囲から除外するものではない。即ち、各実施例及びその変形例を組み合わせた構成も全て本発明に含まれるものである。
【００１５】
（第１の実施例）
図１は第１の実施例における表示装置１の機能ブロックを示したブロック図である。表示装置１は、画像処理部１００、表示部２００、および発光部３００を備える。画像処理部１００は、入力画像に基づいて、表示部２００が表示する画像信号を、表示部２００に出力する。表示部２００は、例えば液晶パネルのような透過型の表示パネルである。表示部２００は、ＭＥＭＳ（Ｍｉｃｒｏ  Ｅｌｅｃｔｒｏ  Ｍｅｃｈａｎｉｃａｌ  Ｓｙｓｔｅｍｓ）素子を用いた表示パネルであってもよい。
【００１６】
また、画像処理部１００は、入力画像に基づいて、発光部３００の発光量を決定し、発光部３００に出力する。発光部３００は、複数のブロックのそれぞれの発光量を個別に制御可能である。第１の実施例において、発光部３００は、水平方向に９つ、垂直方向に６つにそれぞれ分かれたブロックごとに発光量を制御される。
【００１７】
画像処理部１００は、領域判別部１０１、発光量制御部１０２、推定輝度取得部１０３、輝度判定部１０４、および階調値補正部１０５を備える。領域判別部１０１は、発光部３００の複数のブロックそれぞれに対応した入力画像の領域ごとに、当該領域が背景領域か否かを判別し、発光量制御部１０２と推定輝度取得部１０３とに、判別結果を出力する。発光量制御部１０２は、領域判別部１０１から取得した判別結果に基づいて、発光部３００の複数のブロックそれぞれに対して発光量を決定する。決定された発光量は、推定輝度取得部１０３と発光部３００とに出力される。
【００１８】
推定輝度取得部１０３は、領域判別部１０１から取得した入力画像に基づいて画像が表示された表示部２００に対して、発光量制御部１０２が制御した発光部３００から光が照射された場合の、表示部２００における表示輝度である推定輝度を取得する。推定輝度取得部１０３は、取得した推定輝度を輝度判定部１０４に出力する。輝度判定部１０４は、発光部３００の複数ブロックに対応した表示部２００の複数の領域のそれぞれについて、推定輝度取得部１０３で取得された推定輝度が、所定の値よりも大きいか否かを判定する。輝度判定部１０４は、判定結果を階調値補正部１０５に出力する。
【００１９】
階調値補正部１０５は、輝度判定部１０４から取得した判定結果に基づいて、入力画像の階調値の補正を行う。補正された入力画像は、表示部２００に出力される。表示部２００は、補正された入力画像に基づいて画像を表示する。また、発光部３００は、発光量制御部１０２から取得した発光量に基づいて、表示部２００に光を照射する。
【００２０】
図２は、第１の実施例における画像処理部１００の制御フローを示したフローチャートである。以下、図２のフローチャートに従って、画像処理部１００の制御について詳細に説明する。Ｓ４００で、領域判別部１０１は、発光部３００の複数のブロックそれぞれに対応する入力画像の領域ごとに輝度特性を取得する。輝度特性は、入力画像の各領域における画素の階調値である。
【００２１】
Ｓ４１０で、領域判別部１０１は、入力画像の各領域が背景画像であるか否かを判別する。領域判別部１０１は、複数の領域それぞれに含まれる画素のうち、階調値が所定の閾値以下となる画素の個数をカウントする。カウントした画素数が所定の数以上である場合には、当該領域は、背景領域と判別される。例えば、黒画像が背景領域とされる。判別された結果は、発光量制御部１０２に出力される。図３は、領域判別部１０１が判別した結果を示した模式図である。入力画像の各領域ごとに背景領域をＢ、それ以外の領域をＳと表示している。
【００２２】
第１の実施例において、表示部２００が表示可能な階調値は０〜２５５であるとする。第１の実施例において、最大の階調値２５５に対して、８％の階調値２０を、所定の閾値とした。なお、この所定の閾値は、表示装置１の最大表示輝度や、ユーザの好みにより任意に変更が可能である。また、背景領域の判別方法は、上述の方法に限られない。複数の領域それぞれに含まれる画素の階調値の最大値、平均値、もしくは中央値等が所定の閾値よりも小さい場合に、当該領域を背景領域とすることも可能である。
【００２３】
Ｓ４２０で、発光量制御部１０２は、背景領域と判別された領域に対応する発光部３００のブロックの発光量を、所定の発光量に制御する。発光部３００に設定可能な最大の発光量を１００％とした場合に、第１の実施例において、所定の発光量は３０％であるとした。また、発光量制御部１０２は、背景領域でないと判別された領域に対応する発光部３００のブロックの発光量を８０％とした。図４は発光部３００の各ブロックに対して決定された発光量を示した模式図である。Ｓ４１０で背景領域と判別された領域に対応する発光部３００の各ブロックの発光量は、３０（％）とされる。また、それ以外のブロックで発光量は、８０（％）とされる。
【００２４】
Ｓ４３０で、推定輝度取得部１０３は、背景領域に対応する表示部２００の各領域における推定輝度を取得する。推定輝度は、各背景領域の階調値に基づいて画像を表示した表示部２００に、発光部３００から所定の発光量で光を照射した場合に、表示部２００で表示される表示輝度を推測した値である。
【００２５】
図５は、発光部３００の複数のブロックそれぞれに対応する入力画像の各領域における平均階調値を示した模式図である。Ｓ４１０で、背景領域でないと判別された領域は、平均階調値が９０であるとする。また、背景領域と判別された領域の平均階調値は、６０と２０とが混在している。
【００２６】
所定の発光量で発光部３００から表示部２００に光を照射した場合に、表示部２００における平均階調値と、表示部２００に表示される表示輝度とを関連付けた情報を用いて、推定輝度取得部１０３は、推定輝度を取得する。上述の情報は例えば、所定の発光量で発光部３００から表示部２００に光を照射した場合に、表示部２００における平均階調値と、表示部２００に表示される表示輝度とを関連付けたルックアップテーブルである。
【００２７】
図６は、所定の発光量で発光部３００から表示部２００に光を照射した場合に、表示部２００の平均階調値と表示輝度との関係を示すルックアップテーブルを図示したものである。図６より、表示部２００の平均階調値が６０の場合、表示輝度は１２％となり、また、表示部２００の平均階調値が２０の場合、表示輝度は６％となる。このとき、表示輝度が１００％とは、平均階調値が２５５の表示部２００に対して、発光量１００％の発光部３００から光を照射された場合の、表示部２００における輝度である。
【００２８】
なお、推定輝度の取得方法は、ルックアップテーブルを用いる方法に限られない。発光部３００の発光量と、推定輝度を取得する背景領域の平均階調値から計算によって求めることも可能である。例えば、所定の発光量と背景領域の平均階調値と係数を乗算することによって、推定輝度を算出することも可能である。
【００２９】
図７は、推定輝度取得部１０３が取得した各領域の推定輝度を示した模式図である。背景領域と判別された各領域において、一部の領域の推定輝度が高い。後述する階調値に対する補正をせずに、画像を表示した場合、この推定輝度の差は、むらとなって視認される。各領域について取得された推定輝度は、輝度判定部１０４に出力される。
【００３０】
Ｓ４４０で、輝度判定部１０４は、各背景領域に対して、推定輝度が輝度閾値Ｚ０よりも大きいか否かを判定する。第１の実施例において、輝度閾値Ｚ０は８とする。図６に示すように、Ｚ０よりも１２は大きく、Ｚ０よりも６は小さい。つまり、入力画像の平均階調値が６０である背景領域Ａ８、Ｃ７〜Ｃ９、Ｄ７〜Ｄ９、Ｅ７およびＥ８は、推定輝度が輝度閾値Ｚ０よりも大きい領域として判定される。輝度判定部１０４は、判定した結果を階調値補正部１０５に出力する。
【００３１】
第１の実施例において、輝度閾値Ｚ０は、８％とした。輝度閾値Ｚ０は、あらかじめ設定された輝度値であり、ユーザが任意に設定することが可能である。また、輝度閾値Ｚ０は、パネル特性に基づいて画像表示装置毎に固定した値が設定されることも可能である。また、輝度閾値Ｚ０は、画像表示装置に入力される画像の黒レベルの範囲や、画像表示装置が設置される周辺環境、もしくは画像表示装置の表示輝度範囲に応じて、設定されることも可能である。
【００３２】
輝度閾値Ｚ０が低すぎると、背景領域とそれ以外の領域との輝度の差分が大きくなり、背景領域以外の領域の明るさが背景領域へ浸食が生じてしまうハロー現象が発生する。ハロー現象は、表示装置１の表示品質を低下させる。また、輝度閾値Ｚ０が高すぎると、背景領域の黒浮きを解消することができなくなる。また、画像毎に輝度閾値Ｚ０を変更すると、画像毎に背景領域の黒レベルが異なってしまい、ユーザにとって好ましくないため輝度閾値Ｚ０は固定の値を用いることが望ましい。
【００３３】
Ｓ４５０で、階調値補正部１０５は、Ｓ４４０で推定輝度が輝度閾値Ｚ０よりも大きいと判定された領域に対応する入力画像の階調値を補正する。図８は、所定の発光量で発光部３００から光を照射された場合における、表示部２００の推定輝度と平均階調値との関係を示したルックアップテーブルを示した模式図である。
【００３４】
図８に示すルックアップテーブルより、階調値補正部１０５は、推定輝度が１２％とされた領域の表示輝度をＺ０＝８％に下げるために、当該領域の平均階調値を６０から２５に下げるように補正する。階調値補正部１０５は、当該領域の入力画像に含まれる全ての画素の階調値を一律に下げることにより、補正を施す。なお、補正方法は上述の方法に限られず、当該領域に含まれる画素のうち、高い階調値を有する画素ほど階調値の減少量が大きくなるように階調値を下げることも可能である。
【００３５】
図９は、Ｓ４５０で補正された入力画像の平均階調値を示した模式図である。推定輝度が、輝度閾値Ｚ０を超えていた背景領域の平均階調値が６０から２５に補正されている。補正された入力画像は、表示部２００に出力される。
【００３６】
図１０は、補正された入力画像に基づいて画像が表示された表示部２００に対して、発光部３００から光を照射した場合の、背景領域の表示輝度を示した模式図である。図７において、一部明るい表示輝度であった領域の表示輝度がＺ０＝８％に低減している。
【００３７】
第１の実施例によれば、表示部２００における表示輝度が所定の輝度閾値よりも大きいと判定された背景領域に対して、入力画像の階調値を補正することにより、当該背景領域の表示輝度を輝度閾値以下にすることが可能となる。
【００３８】
これにより、背景領域の表示輝度を抑制し、背景領域以外の被写体領域の視認性を向上させることが可能となる。
【００３９】
なお、本実施例は、表示部２００に光を照射する発光部３００と、透過型の表示パネルである表示部２００を備える表示装置１について説明したが、表示装置１は透過型の表示パネルを用いるものには限られない。表示装置１は、ＯＬＥＤ（Ｏｒｇａｎｉｃ  Ｌｉｇｈｔ−Ｅｍｉｔｔｉｎｇ  Ｄｉｏｄｅ）素子を用いた自発光型の表示装置でもよい。表示装置１が自発光型の表示装置である場合も、本実施例と同様に背景領域に対して階調値を補正することにより、背景領域の表示輝度を抑制することが可能となる。
【００４０】
（第２の実施例）
図１１は、第２の実施例における表示装置１の機能ブロックを示すブロック図である。発光量決定部１１２および発光量制御部１１５以外の図１と同名の機能ブロックは、同様の機能を発揮するため、説明を省略する。発光量決定部１１２は、領域判別部１１１から取得した判別結果に基づいて、発光部３００の複数のブロックそれぞれに対して発光量を決定する。発光量決定部１１２は、決定された発光量と、入力画像の階調値と、領域判別部１１１の判別結果とを、推定輝度取得部１１３に出力する。
【００４１】
発光量制御部１１５は、輝度判定部１１４で、表示部２００に表示される表示輝度が所定の値以下であると判定された背景領域に対応する発光部３００のブロックに対して、決定された発光量を補正する。補正された発光量は、発光部３００に出力される。
【００４２】
図１２は、第２の実施例における画像処理部１１０の制御フローを示したフローチャートである。以下、図２のフローチャートに従って、画像処理部１１０の制御について詳細に説明する。Ｓ５００、Ｓ５１０、Ｓ５３０、およびＳ５４０のステップについては、図２の同名のステップと同様の内容であるため、説明を省略する。
【００４３】
Ｓ５２０において、発光量決定部１１２は、背景領域と判別された領域に対応する発光部３００のブロックに対して発光量を、所定の発光量に決定する。所定の発光量は、第１の実施例と同様の３０％であるとする。また、背景領域でない領域に対応する発光部３００のブロックの発光量も、第１の実施例と同様に８０％と決定する。発光量決定部１１２が決定した発光量は、推定輝度取得部１１３に出力される。
【００４４】
Ｓ５３０において、推定輝度取得部１１３は、第１の実施例と同様に背景領域に対応する表示部２００の各領域における推定輝度を取得する。Ｓ５４０において、輝度判定部１１４は、第１の実施例と同様に各背景領域に対して、推定輝度が輝度閾値Ｚ０よりも大きいか否かを判定する。発光部３００の複数のブロックに対応する入力画像の各領域の階調値、領域判別部１１１の判別結果、および発光量決定部１１２が決定した発光部３００の各ブロックの発光量は、第１の実施例と同様である。したがって、推定輝度取得部１１３が取得する表示部２００における推定輝度、および輝度判定部１１４の判定結果についても、第１の実施例と同様である。
【００４５】
Ｓ５５０で、発光量制御部１１５は、推定輝度が輝度閾値Ｚ０＝８％よりも大きいと判定された背景領域に対応する発光部３００のブロックに対して、発光量を補正する。発光量制御部１１５は、輝度判定部１１４から、判定結果、決定された発光量、および入力画像の各領域における平均階調値を取得する。図１３は、平均階調値が６０である入力画像に基づいて画像を表示している表示部２００に発光部３００から照射される発光量と、表示部２００の表示輝度との関係を示すルックアップテーブルである。このとき、平均階調値は、輝度判定部１１４で、表示輝度が輝度閾値Ｚ０以上と推定された領域の入力画像の平均階調値６０である。
【００４６】
発光量制御部１１５は、図１３のルックアップテーブルを用いて、補正が必要な背景領域に対応するブロックの発光量を補正して、発光部３００を制御する。具体的には、補正が必要な背景領域に対応するブロックの発光量を３０％から１５％に変更する。図１４は、発光量制御部１１５が補正した発光量を示す模式図である。補正が必要な背景領域に対応するブロックの発光量は、３０％から１５％に変更される。発光量制御部１１５が補正された発光量に基づいて発光部３００を制御することにより、発光部３００が表示部２００に光を照射する。
【００４７】
図１５は、入力画像に基づいて画像を表示した表示部２００に、発光量制御部１１５に制御された発光部３００から光を照射した場合に、表示部２００に表示される表示輝度を示した模式図である。図７に示した輝度閾値Ｚ０よりも大きい輝度であると推測されていた領域の表示輝度が、輝度閾値Ｚ０＝８％なる。
【００４８】
第２の実施例によれば、表示部２００における表示輝度が所定の輝度よりも大きいと判定された背景領域に対して、発光部３００の発光量を補正することにより、当該背景領域の表示輝度を輝度閾値以下になる。
【００４９】
これにより、背景領域の表示輝度を抑制し、背景領域以外の被写体領域の視認性を向上させることが可能となる。
【符号の説明】
【００５０】
１００  画像処理装置
１０１  領域判別部
１０２  発光量制御部
１０３  推定輝度取得部
１０４  輝度判定部
１０５  階調値補正部
２００  表示部
３００  発光部
Ｚ０  輝度閾値
【図１】
2017032764.tif 000003
【図２】
2017032764.tif 000004
【図３】
2017032764.tif 000005
【図４】
2017032764.tif 000006
【図５】
2017032764.tif 000007
【図６】
2017032764.tif 000008
【図７】
2017032764.tif 000009
【図８】
2017032764.tif 000010
【図９】
2017032764.tif 000011
【図１０】
2017032764.tif 000012
【図１１】
2017032764.tif 000013
【図１２】
2017032764.tif 000014
【図１３】
2017032764.tif 000015
【図１４】
2017032764.tif 000016
【図１５】
2017032764.tif 000017